(57)【要約】【目的】支柱に施す装飾の継ぎ目が目立たず、且つ多種多様なバリエーションの装飾を美麗に施すことが可能な折畳杖を提供する。【構成】複数本に分割折畳可能な支柱を有する折畳杖において、前記支柱の支柱部材がアルミニウム又はその合金製であり、該支柱部材の表面にエポキシ樹脂層を有し、該エポキシ樹脂層中にレース布が埋設状態で配設された構成であること、前記レース布がラメ入りであること、前記支柱部材が、表面に着色塗装を施したものであること、を特徴とする折畳杖である。【選択図】        図１
0003122517.tif 000002
【実用新案登録請求の範囲】
【請求項１】
複数本に分割折畳可能な支柱を有する折畳杖において、前記支柱の支柱部材がアルミニウム又はその合金製であり、該支柱部材の表面にエポキシ樹脂層を有し、該エポキシ樹脂層中にレース布が埋設状態で配設された構成であることを特徴とする折畳杖。
【請求項２】
前記レース布のエポキシ樹脂層中への埋設が、エポキシ樹脂層表面にレース布による凹凸が形成された状態を含むものであることを特徴とする請求項１に記載の折畳杖。
【請求項３】
前記エポキシ樹脂層が、グラスファイバーを含むことを特徴とする請求項１又は２に記載の折畳杖。
【請求項４】
前記折畳杖の支柱が、エポキシ樹脂に含浸させたグラスファイバーの表面にレース布を重層し、該グラスファイバー及びレース布を前記支柱部材表面に巻き付け、抑えテープにより絞り巻いた状態で加熱、冷却した後に前記抑えテープを取り除くことにより得られた構成であることを特徴とする請求項１〜３のいずれかに記載の折畳杖。
【請求項５】
前記レース布がラメ入りであることを特徴とする請求項１〜４のいずれかに記載の折畳杖。
【請求項６】
前記支柱部材が、表面に着色塗装を施したものであることを特徴とする請求項１〜５のいずれかに記載の折畳杖。
【考案の詳細な説明】
【技術分野】
【０００１】
本考案は折畳杖に関し、詳しくは折畳可能な支柱部分に趣向性に富んだ装飾を施した折畳杖に関する。
【背景技術】
【０００２】
折畳杖は歩行補助具としての機能だけでなく、アクセサリーとしての装飾性も求められており、様々な装飾を施したものが提案ないしは販売されている。
【０００３】
例えば、杖の支柱部分に模様等が施された布地を巻き付ける技術が知られている（特許文献１及び２参照）。
【０００４】
しかしこの技術では、巻き付けられた布地の継ぎ目が目立つため、審美性の点で問題があった。
【０００５】
そこで、伸縮性を有する布地ないしレース布を筒状又は袋状に形成し、これを支柱部分に挿嵌させ、接着及び／又は収縮させる等して固着させる技術が知られている（筒状：特許文献３〜５。袋状：特許文献６及び７）。
【０００６】
この技術では、継ぎ目は無くなるが、予め嵌挿させる支柱部分のサイズ等に合せた直径や収縮率の筒状又は袋状の布地ないしレース布を形成・加工・用意しなければならずコスト高となる。このため、多種多様な装飾を施したバリエーション豊かな折畳杖を安価に製作することが困難であり、需要者の様々な趣向に対応することが困難であるという問題があった。特にこの問題は、布地ないしレース布をラメ入り等の装飾性のより高い素材とした場合に顕著であった。また、ラメ入りの布地ないしレース布を用いる場合、ラメ部分と他の部分との伸縮性や厚み等の違いにより、支柱部分に美麗に密着させることが困難であるという問題もあった。
【０００７】
【特許文献１】特許第３１８５１３５号公報
【特許文献２】登録実用新案第３０５２４４４号公報
【特許文献３】登録実用新案第３１０６６９４号公報
【特許文献４】特公昭４７−３４３６４号公報
【特許文献５】実開平１−７４１８８号公報
【特許文献６】実開昭４８−２０５３２号公報
【特許文献７】実開昭５９−１３９２８４号公報
【考案の開示】
【考案が解決しようとする課題】
【０００８】
そこで本考案の課題は、支柱に施す装飾の継ぎ目が目立たず、且つ多種多様なバリエーションの装飾を美麗に施すことが可能な折畳杖を提供することにある。
【課題を解決するための手段】
【０００９】
上記課題を解決する本考案は下記構成を有する。
【００１０】
１．複数本に分割折畳可能な支柱を有する折畳杖において、前記支柱の支柱部材がアルミニウム又はその合金製であり、該支柱部材の表面にエポキシ樹脂層を有し、該エポキシ樹脂層中にレース布が埋設状態で配設された構成であることを特徴とする折畳杖。
【００１１】
２．前記レース布のエポキシ樹脂層中への埋設が、エポキシ樹脂層表面にレース布による凹凸が形成された状態を含むものであることを特徴とする上記１に記載の折畳杖。
【００１２】
３．前記エポキシ樹脂層が、グラスファイバーを含むことを特徴とする上記１又は２に記載の折畳杖。
【００１３】
４．前記折畳杖の支柱が、エポキシ樹脂に含浸させたグラスファイバーの表面にレース布を重層し、該グラスファイバー及びレース布を前記支柱部材表面に巻き付け、抑えテープにより絞り巻いた状態で加熱、冷却した後に前記抑えテープを取り除くことにより得られた構成であることを特徴とする上記１〜３のいずれかに記載の折畳杖。
【００１４】
５．前記レース布がラメ入りであることを特徴とする上記１〜４のいずれかに記載の折畳杖。
【００１５】
６．前記支柱部材が、表面に着色塗装を施したものであることを特徴とする上記１〜５のいずれかに記載の折畳杖。
【考案の効果】
【００１６】
請求項１に示す考案によれば、支柱に施す装飾の継ぎ目が目立たず、且つ多種多様なバリエーションの装飾を美麗に施すことが可能な折畳杖を提供することができる。
【００１７】
特に、支柱部材の表面のエポキシ樹脂層中にレース布が埋設状態で配設された構成により、筒状や袋状ではないレース布であっても継ぎ目が殆ど目立たず、審美性の高い装飾とすることができ、しかもレース布はコスト高となる筒状や袋状のものを形成・加工・用意等する必要がなく、任意のサイズに切断等した平布状のものを巻き付けるだけで配設することができるので低コストである。従って、多種多様な装飾を施したバリエーション豊かな折畳杖を安価に製作することができ、需要者の様々な趣向に対応することが容易に可能となる。
【００１８】
また、レース布がエポキシ樹脂層中に埋設状態で配設されることにより、支柱の表面層となるエポキシ樹脂とレース布が一体化した状態となるので、布を張り付けたり巻き付けたりする技術のように布の模様がそのまま表現されてしまうだけのものとは異なり、レース布のレース模様があたかも支柱の地模様であるかのように深みのある装飾とすることができる。
【００１９】
請求項２に示す考案によれば、レース布のエポキシ樹脂層中への埋設が、エポキシ樹脂層表面にレース布による凹凸が形成された状態を含むものであることにより、レース布がエポキシ樹脂層表面に凹凸等の突出部を有することなく完全に埋没した構成だけでなく、支柱部材の表面にレース布による凹凸を形成した構成とすることもできる。
【００２０】
請求項３に示す考案によれば、エポキシ樹脂層が、グラスファイバーを含むことにより、エポキシ樹脂層の強度を増すことができる。
【００２１】
請求項４に示す考案によれば、エポキシ樹脂に含浸させたグラスファイバーの表面にレース布を重層した後、該グラスファイバー及びレース布を前記支柱部材表面に巻き付けた後、抑えテープにより絞り巻いた状態で加熱、冷却した後に前記抑えテープを取り除くことにより得られた構成により、支柱部材の表面にエポキシ樹脂層を有し、該エポキシ樹脂層中にレース布が埋設状態で配設された構成の支柱を有する折畳杖を得ることができる。
【００２２】
請求項５に示す考案によれば、ラメ部分と他の部分との伸縮性や厚み等が異なるラメ入りレース布であっても支柱部材の表面に容易に且つ美麗に配設することができるので、装飾性をより高めることが可能となる。
【００２３】
請求項６に示す考案によれば、支柱部材が、表面に着色塗装を施したものであることにより、同種・同柄・同色のレース布をエポキシ樹脂中に配設した場合であっても支柱部材表面の色が変わるだけで、支柱部分の見た目の印象を変えることができるので、より低コストでバリエーションを増やすことができる。
【考案を実施するための最良の形態】
【００２４】
次に、添付の図面に従って本考案を詳細に説明する。
【００２５】
図１は本考案に係る折畳杖の支柱部材の一実施例を示す断面図及び部分拡大断面図、図２は本考案に係る折畳杖の一実施例を示す正面図である。
【００２６】
先ず、図２に示すように本考案に係る折畳杖１は、手元２、支柱３、石突４とからなり、支柱３は複数本の支柱部材３１・３２・３３・３４・３５が接続部３６・３６・３６において折畳可能な構成を有するものである。尚、図２に示す本実施例では、長さ調節手段３７及び長さ調節固定手段３８によって支柱３の長さを使用者に応じて調整できる構成となっている。
【００２７】
支柱３の支柱部材３１・３２・３３・３４・３５は、この種の折畳杖１の支柱３の素材として一般的なアルミニウム又はその合金から形成されている。
【００２８】
また、支柱部材３１・３２・３３・３４・３５は、表面に後述するエポキシ樹脂層５を形成する前に着色塗装を施してもよい。着色方法としては、アルミニウム又はその合金からなる素材表面への着色手段として公知公用の手段を採ることができ、例えば、支柱部材３１・３２・３３・３４・３５の表面に皮膜安定剤による処理を行った後、塗料を塗付及び／又は噴霧し、自然乾燥又は加熱乾燥することで着色することができる。この着色塗装による色を変えることにより、後述するレース布６として形状・模様・色彩が同じものを用いたとしても反射光の目視では、着色塗装による色だけでなくレース布６まで異なる色彩として目視されることになる。従って、支柱部材３１・３２・３３・３４・３５の見た目の印象をより着色の違い以上に変えることができる。更に、多種多様な色柄のレース布６と種々多様の着色とを組合せることでバリエーションを容易に増やすことができる。
【００２９】
該支柱部材３１・３２・３３・３４・３５の表面には、図１に示すように、エポキシ樹脂層５を有し、該エポキシ樹脂層５中にレース布６が埋設状態で配設されている。
【００３０】
エポキシ樹脂層５中へのレース布６の埋設状態としては、レース布６がエポキシ樹脂層５の表面に凹凸等の突出部を有することなく完全に埋没した構成だけでなく、エポキシ樹脂層５の表面にレース布６による凹凸が形成された状態を含むものであることにより、支柱部材３１・３２・３３・３４・３５の表面であるエポキシ樹脂層５の表面にレース布６による凹凸を形成した構成とすることもできる。
【００３１】
支柱部材３１・３２・３３・３４・３５の表面のエポキシ樹脂層５中にレース布６を埋設状態で配設したことにより、レース布６の継ぎ目６１が殆ど目立たなくなる。
【００３２】
エポキシ樹脂層５中に配設されるレース布６としては、ナイロン、レーヨン、アクリル、ポリエステル、ポリウレタン、綿、麻、絹等やこれらの混紡材等から形成された公知公用のレース布を用いることができる。
【００３３】
更に、レース布６としては、金色や銀色等のラメ素材の入ったラメ入りのレース布を用いることが、感触性をより高めることとなるので好ましい。ラメ色のレース布は、金糸や銀糸等の混紡により華やかとなって装飾性を高める反面、ラメ部分と他の部分との伸縮性や厚み等が異なるために、接着や熱収縮等の手段の場合では取扱性が困難であるが、本考案のようにエポキシ樹脂層５中に埋設状態で配設する構成によれば容易に且つ美麗に配設することができるだけでなく、ラメ部分の手の掌に対する感触性が優れる、という効果を発揮する。
【００３４】
支柱部材３１・３２・３３・３４・３５の表面に有するエポキシ樹脂層５のエポキシ樹脂としては、公知公用のエポキシ樹脂の中からアルミニウム又はその合金製の支柱部材３１・３２・３３・３４・３５の表面にエポキシ樹脂槽５を形成するのに好適なものが用いられ、例えば、レゾルシンジグリシジルエーテル；ナガセ化成社製 「デナコールＥＸ２０１」エポキシ当量＝１２６、 粘度 ２５℃：５００ｃｐｓ、７０℃：７０ｃｐｓ、 多官能のグリシジルアミン樹脂； Ｎ，Ｎ，Ｎ’，Ｎ’，テトラグリシジル−ｍ−キシレンジアミン三菱瓦斯化学社製の「ＴＥＴＲＡＤ−Ｘ」、エポキシ当量＝９８、粘度２５℃：２１５０ｃｐｓ、７０℃：３００ｃｐｓ、 １，３−ビス（Ｎ，Ｎ，ジグリシジルアミノメチル）シクロヘキサン、三菱瓦斯化学社製の「ＴＥＴＲＡＤ−Ｃ」、エポキシ当量＝１０２、粘度２５℃： ２４１０ｃｐｓ、７０℃：３４０ｃｐｓ、トリグリシジル−ｐ−アミノフェノール、油化シェルエポキシ社製の「エピコート６３０」、エポキシ当量＝９５、粘度２５℃ ： ６００ｃｐｓ、７０℃：８４ｃｐｓが挙げられ、他に、トリグリシジルイソシアヌレート、ジグリシジルアニリン、ジグリシジルオルソトルイジンなども挙げられる。また、つぎのようなエポキシ主剤の応用で強度物性に特長をもったものも可能である。ナガセ化成社製 のアジピン酸ジグリシジルエステル「デナコールＥＸ７０１」、エポキシ当量＝１４７、粘度 ２５℃：４４ｃｐｓ。同じくナガセ化成社製のＯ−フタール酸ジグリシジルエステル「デナコールＥＸ７２１」、エポキシ当量＝１６５、粘度 ２５℃：１０００ｃｐｓ。その他ペンタエリスリトールポリグリシジルエーテル、ネオペンチルグリコールジグリシジルエーテル、ヘキサンジオールジグリシジルエーテル等が挙げられる。これらは単独または２種類以上の配合で用いてもよい。
【００３５】
以上の構成を有する本考案の折畳杖１の支柱３の支柱部材３１・３２・３３・３４・３５の表面を形成する方法の一例としては、先ず、グラスファイバーにエポキシ樹脂を含浸させ、次にエポキシ樹脂に含浸させたグラスファイバーの表面にレース布６を重層し、この重層したグラスファイバー及びレース布６を前記支柱部材３１・３２・３３・３４・３５の表面に巻き付けた後、抑えテープにより絞り巻いた状態で加熱、冷却した後に前記抑えテープを取り除くことにより得られる。重層状態のグライスファイバー及びレース布６は、支柱部材３１・３２・３３・３４・３５の表面に巻き付ける前に該表面に合せたサイズに裁断してもよいし、前記表面に巻き付けた後に余分な部分を裁断して除去するようにしてもよい。
【００３６】
支柱部材３１・３２・３３・３４・３５の表面層を形成する際に用いられるグラスファイバーとしては、公知公用のグライスファイバーが挙げられ、例えば、織布、不織布、ネット状のものを用いることができる。例えば、好ましい織布のものとして、エポキシ樹脂との親和性を高める、エポキシシラン・アミノシラン・アクリルシラン・ビニルシラン等のシランカップリング剤で表面処理を行った、繊維径３〜１５μｍ望ましくは５〜１３μｍのグラスファイバー繊維を１〜５０００本望ましくは１００〜８００本撚り合わせた糸を、縦方向・横方向それぞれ５〜１００本望ましくは３０〜８０本織り込んだ、重量が２０〜１０００ｇ／ｍ２、望ましくは５０〜３００ｇ／ｍ２の織布が挙げられる。
【００３７】
レース布６を巻き付けた後に絞り巻く抑えテープとしてはＯＰＰ（延伸ポリプロピレン）テープが好ましい。抑えテープによる絞り巻きの圧力としては、１〜２０ｋｇｆ／ｃｍ２が好ましく、さらに好ましくは５〜１５ｋｇｆ／ｃｍ２である。
【００３８】
抑えテープにより絞り巻いた状態での加熱は、１００〜２００℃の範囲で、３０分間〜１０時間の範囲で行うことが好ましい。冷却は自然冷却である放冷が好ましい。冷却後、抑えテープは取り除く。
【００３９】
尚、抑えテープを取り除いた後、最表面の仕上げを行ってもよい。最表面の仕上げとしては、単に研磨するだけでもよいし、エポキシ樹脂を１回ないし複数回塗付してもよい。エポキシ樹脂を塗布する場合、乾燥後に研磨してもよい。更に、最表面をポリウレタン等の樹脂で被覆してもよい。
【００４０】
上記したように表面が形成された支柱部材３１・３２・３３・３４・３５は、所望サイズに切断された後、手元２、接続部３６・３６・３６、長さ調節手段３７、長さ調節固定手段３８、石突４等の各部品が取付乃至は組み込まれて折畳杖１となる。
【図面の簡単な説明】
【００４１】
【図１】本考案に係る折畳杖の支柱部材の一実施例を示す断面図及び部分拡大断面図
【図２】本考案に係る折畳杖の一実施例を示す正面図
【符号の説明】
【００４２】
１  折畳杖
２  手元
３  支柱
３１・３２・３３・３４・３５  支柱部材
３６  接続部
３７  長さ調節手段
３８  長さ調節固定手段
４  石突
５  エポキシ樹脂層
６  レース布
６１  継ぎ目
【図１】
0003122517.tif 000003
【図２】
0003122517.tif 000004